(57)【特許請求の範囲】
【請求項１】
選択可能な複数の解像度のうちのいずれかの解像度で映像信号を出力する出力装置に接続され、前記出力装置から入力された映像信号を、１つの映像信号を表示する第１の表示モードと、複数の映像信号を合成して表示する第２の表示モードとを含む複数の表示モードのうち、いずれかの表示モードで表示部に表示可能な表示装置であって、
前記出力装置から入力される映像信号を前記第２の表示モードで前記表示部に表示する場合に、前記出力装置が選択可能な複数の解像度を示す情報を、前記出力装置から取得する取得手段と、
前記出力装置から入力される映像信号を前記表示部に表示する表示サイズに応じて、前記出力装置が選択可能な複数の解像度の中から１つの解像度を選択する選択手段と、
前記選択手段により選択された解像度で映像信号を出力するように指示する切り換え情報を、前記出力装置に送信する切り換え情報送信手段と、
前記出力装置から入力される前記選択された解像度の映像信号を前記表示部に表示する表示制御手段と、
を有することを特徴とする表示装置。
【請求項２】
前記選択手段は、前記出力装置が選択可能な複数の解像度のうち、前記出力装置から入力される映像信号を前記表示部に表示する表示サイズに対応する解像度に最も近く、かつ当該表示サイズに対応する解像度以上の解像度を選択する
ことを特徴とする請求項１に記載の表示装置。
【請求項３】
前記出力装置から出力される映像信号は、ＨＤＭＩ形式またはＤＶＩ形式のケーブルを介して、前記表示装置に入力される
ことを特徴とする請求項１または請求項２に記載の表示装置。
【請求項４】
選択可能な複数の解像度のうちのいずれかの解像度で映像信号を出力する出力装置と、当該出力装置に接続され、前記出力装置から入力された映像信号を、１つの映像信号を表示する第１の表示モードと、複数の映像信号を合成して表示する第２の表示モードとを含む複数の表示モードのうち、いずれかの表示モードで表示部に表示可能な表示装置とを含むシステムであって、
前記表示装置は、
前記出力装置から入力される映像信号を前記第２の表示モードで前記表示部に表示する場合に、前記出力装置が選択可能な複数の解像度を示す情報を、前記出力装置から取得する取得手段と、
前記出力装置から入力される映像信号を前記表示部に表示する表示サイズに応じて、前記出力装置が選択可能な複数の解像度の中から１つの解像度を選択する選択手段と、
前記選択手段により選択された解像度で映像信号を出力するように指示する切り換え情報を、前記出力装置に送信する切り換え情報送信手段と、
前記出力装置から入力される前記選択された解像度の映像信号を前記表示部に表示する表示制御手段と、
を有し、
前記出力装置は、
前記選択可能な複数の解像度を示す情報を前記表示装置に送信する送信手段と、
前記切り換え情報を前記表示装置から受信する受信手段と、
前記切り換え情報により指示された解像度で前記表示装置に映像信号を出力する出力手段と、
を有する
ことを特徴とするシステム。
【請求項５】
選択可能な複数の解像度のうちのいずれかの解像度で映像信号を出力する出力装置に接続され、前記出力装置から入力された映像信号を、１つの映像信号を表示する第１の表示モードと、複数の映像信号を合成して表示する第２の表示モードとを含む複数の表示モードのうち、いずれかの表示モードで表示部に表示する表示装置の制御方法であって、
前記出力装置から入力される映像信号を前記第２の表示モードで前記表示部に表示する場合に、前記出力装置が選択可能な複数の解像度を示す情報を、前記出力装置から取得する取得ステップと、
前記出力装置から入力される映像信号を前記表示部に表示する表示サイズに応じて、前記出力装置が選択可能な複数の解像度の中から１つの解像度を選択する選択ステップと、
前記選択ステップにより選択された解像度で映像信号を出力するように指示する切り換え情報を、前記出力装置に送信する切り換え情報送信ステップと、
前記出力装置から入力される前記選択された解像度の映像信号を前記表示部に表示する表示制御ステップと、
を有することを特徴とする表示装置の制御方法。
【請求項６】
選択可能な複数の解像度のうちのいずれかの解像度で映像信号を出力する出力装置と、当該出力装置に接続され、前記出力装置から入力された映像信号を、１つの映像信号を表示する第１の表示モードと、複数の映像信号を合成して表示する第２の表示モードとを含む複数の表示モードのうち、いずれかの表示モードで表示部に表示可能な表示装置とを含むシステムの制御方法であって、
前記出力装置が、前記選択可能な複数の解像度を示す情報を前記表示装置に送信する送信ステップと、
前記表示装置が、前記出力装置から入力される映像信号を前記第２の表示モードで前記表示部に表示する場合に、前記出力装置が選択可能な複数の解像度を示す情報を、前記出力装置から取得する取得ステップと、
前記表示装置が、前記出力装置から入力される映像信号を前記表示部に表示する表示サイズに応じて、前記出力装置が選択可能な複数の解像度の中から１つの解像度を選択する選択ステップと、
前記表示装置が、前記選択ステップにより選択された解像度で映像信号を出力するように指示する切り換え情報を、前記出力装置に送信する切り換え情報送信ステップと、
前記出力装置が、前記切り換え情報を前記表示装置から受信する受信ステップと、
前記出力装置が、前記切り換え情報により指示された解像度で前記表示装置に映像信号
を出力する出力ステップと、
前記表示装置が、前記出力装置から入力される前記選択された解像度の映像信号を前記表示部に表示する表示制御ステップと、
を有することを特徴とするシステムの制御方法。
【発明の詳細な説明】
【技術分野】
【０００１】
本発明は、表示装置、システム、表示装置の制御方法、及び、システムの制御方法に関する。
【背景技術】
【０００２】
従来、テレビ等の表示装置にビデオレコーダ等の外部機器（出力装置）を接続して映像を表示する場合、出力装置は、表示装置の表示可能な表示解像度（以後、解像度という）にあわせて出力時の解像度（出力モード）を決定する。具体的には、出力装置は、表示装置の表示可能な解像度に関する情報などを取得し、当該解像度にあわせて出力時の解像度（出力モード）を決定する。
【０００３】
複数の解像度をサポート可能な映像信号としては、アナログコンポーネント信号、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）信号、ＤＶＩ（Ｄｉｇｉｔａｌ  Ｖｉｓｕａｌ  Ｉｎｔｅｒｆａｃｅ）信号等がある。
【０００４】
また、ＨＤＭＩ信号、ＤＶＩ信号において表示装置と出力装置との間の制御信号として、ＤＤＣ（Ｄｉｓｐｌａｙ  Ｄａｔａ  Ｃｈａｎｎｅｌ）信号がある。
【０００５】
ＤＤＣ信号にはＤＤＣ１、ＤＤＣ２Ｂ、ＤＤＣ２ＡＢなどがあり、いずれも、ＶＥＳＡ（Ｖｉｄｅｏ  Ｅｌｅｃｔｒｏｎｉｃｓ  Ｓｔａｎｄａｒｄｓ  Ａｓｓｏｃｉａｔｉｏｎ）により通信方法及び内容が規定されている。具体的には、表示装置の製品情報、メーカー情報、表示可能映像フォーマット情報等が、ＥＤＩＤ（Ｅｘｔｅｎｄｅｄ  Ｄｉｓｐｌａｙ  Ｉｄｅｎｔｉｆｉｃａｔｉｏｎ  Ｄａｔａ）として、表示装置内に読み出し可能な状態で記憶されている。
【０００６】
特許文献１には、ＨＤＭＩ信号による表示装置の認証動作において、認証処理の失敗によって映像が表示できない表示装置に対してＥＤＩＤの読み出しと認証処理を中断せずに行うための手法が開示されている。
【０００７】
また、ＨＤＭＩ信号において、表示装置と出力装置との間の制御信号として、ＣＥＣ（Ｃｏｎｓｕｍｅｒ  Ｅｌｅｃｔｒｏｎｉｃｓ  Ｃｏｎｔｒｏｌ）信号がある。ＣＥＣ信号は、出力装置に対する再生、録画等のワンタッチ機器操作、電源のＯＮ／ＯＦＦやリモコンキーに対応した信号の送信等に用いられる。
【０００８】
【特許文献１】特開２００６−２０３７２５号公報
【発明の開示】
【発明が解決しようとする課題】
【０００９】
しかしながら、上述したように、従来技術では、出力装置が表示装置の表示可能な解像度に関する情報を読み取るだけであった。そのため、出力装置における出力モードの変更は、ユーザが、出力装置の設定メニュー等から出力モードを選択することによって行われていた。
【００１０】
そこで、本発明は出力装置の出力モードを自動的且つ簡易に変更することのできる表示装置、システム、表示装置の制御方法、及び、システムの制御方法を提供することを目的とする。
【課題を解決するための手段】
【００１１】
上記目的を達成するために本発明に係る表示装置は、選択可能な複数の解像度のうちのいずれかの解像度で映像信号を出力する出力装置に接続され、前記出力装置から入力された映像信号を、１つの映像信号を表示する第１の表示モードと、複数の映像信号を合成して表示する第２の表示モードとを含む複数の表示モードのうち、いずれかの表示モードで表示部に表示可能な表示装置であって、前記出力装置から入力される映像信号を前記第２の表示モードで前記表示部に表示する場合に、前記出力装置が選択可能な複数の解像度を示す情報を、前記出力装置から取得する取得手段と、前記出力装置から入力される映像信号を前記表示部に表示する表示サイズに応じて、前記出力装置が選択可能な複数の解像度の中から１つの解像度を選択する選択手段と、前記選択手段により選択された解像度で映像信号を出力するように指示する切り換え情報を、前記出力装置に送信する切り換え情報送信手段と、前記出力装置から入力される前記選択された解像度の映像信号を前記表示部に表示する表示制御手段と、を有することを特徴とする。
また、本発明に係るシステムは、選択可能な複数の解像度のうちのいずれかの解像度で映像信号を出力する出力装置と、当該出力装置に接続され、前記出力装置から入力された映像信号を、１つの映像信号を表示する第１の表示モードと、複数の映像信号を合成して表示する第２の表示モードとを含む複数の表示モードのうち、いずれかの表示モードで表示部に表示可能な表示装置とを含むシステムであって、前記表示装置は、前記出力装置か
ら入力される映像信号を前記第２の表示モードで前記表示部に表示する場合に、前記出力装置が選択可能な複数の解像度を示す情報を、前記出力装置から取得する取得手段と、前記出力装置から入力される映像信号を前記表示部に表示する表示サイズに応じて、前記出力装置が選択可能な複数の解像度の中から１つの解像度を選択する選択手段と、前記選択手段により選択された解像度で映像信号を出力するように指示する切り換え情報を、前記出力装置に送信する切り換え情報送信手段と、前記出力装置から入力される前記選択された解像度の映像信号を前記表示部に表示する表示制御手段と、を有し、前記出力装置は、前記選択可能な複数の解像度を示す情報を前記表示装置に送信する送信手段と、前記切り換え情報を前記表示装置から受信する受信手段と、前記切り換え情報により指示された解像度で前記表示装置に映像信号を出力する出力手段と、を有することを特徴とする。
また、本発明に係る表示装置の制御方法は、選択可能な複数の解像度のうちのいずれかの解像度で映像信号を出力する出力装置に接続され、前記出力装置から入力された映像信号を、１つの映像信号を表示する第１の表示モードと、複数の映像信号を合成して表示する第２の表示モードとを含む複数の表示モードのうち、いずれかの表示モードで表示部に表示する表示装置の制御方法であって、前記出力装置から入力される映像信号を前記第２の表示モードで前記表示部に表示する場合に、前記出力装置が選択可能な複数の解像度を示す情報を、前記出力装置から取得する取得ステップと、前記出力装置から入力される映像信号を前記表示部に表示する表示サイズに応じて、前記出力装置が選択可能な複数の解像度の中から１つの解像度を選択する選択ステップと、前記選択ステップにより選択された解像度で映像信号を出力するように指示する切り換え情報を、前記出力装置に送信する切り換え情報送信ステップと、前記出力装置から入力される前記選択された解像度の映像信号を前記表示部に表示する表示制御ステップと、を有することを特徴とする。
また、本発明に係るシステムの制御方法は、選択可能な複数の解像度のうちのいずれかの解像度で映像信号を出力する出力装置と、当該出力装置に接続され、前記出力装置から入力された映像信号を、１つの映像信号を表示する第１の表示モードと、複数の映像信号を合成して表示する第２の表示モードとを含む複数の表示モードのうち、いずれかの表示モードで表示部に表示可能な表示装置とを含むシステムの制御方法であって、前記出力装置が、前記選択可能な複数の解像度を示す情報を前記表示装置に送信する送信ステップと、前記表示装置が、前記出力装置から入力される映像信号を前記第２の表示モードで前記表示部に表示する場合に、前記出力装置が選択可能な複数の解像度を示す情報を、前記出力装置から取得する取得ステップと、前記表示装置が、前記出力装置から入力される映像信号を前記表示部に表示する表示サイズに応じて、前記出力装置が選択可能な複数の解像度の中から１つの解像度を選択する選択ステップと、前記表示装置が、前記選択ステップにより選択された解像度で映像信号を出力するように指示する切り換え情報を、前記出力装置に送信する切り換え情報送信ステップと、前記出力装置が、前記切り換え情報を前記表示装置から受信する受信ステップと、前記出力装置が、前記切り換え情報により指示された解像度で前記表示装置に映像信号を出力する出力ステップと、前記表示装置が、前記出力装置から入力される前記選択された解像度の映像信号を前記表示部に表示する表示制御ステップと、を有することを特徴とする。
【発明の効果】
【００１４】
本発明によれば、出力装置の出力モードを自動的且つ簡易に変更することのできる表示装置、システム、表示装置の制御方法、及び、システムの制御方法を提供することができる。
【発明を実施するための最良の形態】
【００１５】
＜実施例１＞
以下に、本発明の実施形態に係る表示装置および出力装置の一例について、図１〜７を用いて説明する。
【００１６】
図１は、本実施例に係るデジタル放送受信機（デジタルテレビ；ＤＴＶ）とハードディスクレコーダー（パーソナルビデオレコーダー；ＰＶＲ）を用いたシステムの構成の一例を示す図である。
【００１７】
図１において、ＤＴＶ１０１は、入力された映像信号をデコードして表示する表示装置であり、ＰＶＲ１０２は、映像信号を外部に出力する出力装置である。
【００１８】
映像信号は、記録媒体に記録された動画（映画、テレビ番組等）などの映像信号や、アンテナによって受信されたデジタル放送番組などの映像信号である。即ち、本実施例にお
けるＰＶＲ１０２は、記録媒体に記録された動画などを再生することによって、外部に映像信号を出力する。なお、記録媒体は、ＰＶＲ１０２に内蔵されていてもよいし、内蔵されていなくてもよい。例えば、ＤＶＤなどの光ディスクや、ハードディスクなどの磁気ディスクなどを記録媒体として用いてもよい。ＰＶＲ１０２は放送局から送信されるデジタル放送番組などを記録媒体に記録可能であってもよい。
【００１９】
また、ＤＴＶ１０１は、複数の表示モードのうち、ユーザによって選択されたいずれかの表示モードで表示を行うことが可能であり、ＰＶＲ１０２は、品質の異なる複数の出力モードのうち、いずれかの出力モードで映像信号を出力可能である。表示モードは、表示方法によって区別されるものであり、例えば、デフォルトモード、ＰｉｎＰ（Ｐｉｃｔｕｒｅ  ｉｎ  Ｐｉｃｔｕｒｅ）表示やＰｏｕｔＰ（Ｐｉｃｔｕｒｅ  ｏｕｔ  Ｐｉｃｔｕｒｅ）表示などの２画面表示モード、省電力モードなどである。上記品質は、映像の解像度、色数、ビットレート、圧縮率などであり、本実施例では、上記品質が解像度の場合について説明する。
【００２０】
アンテナ１０３は地上デジタル放送、衛星デジタル放送などの映像信号を受信するためのアンテナである。アンテナの代わりに、ケーブル放送などの映像信号（テレビジョン放送データ）を受信する構成であってもよいし、ＩＰ放送などの映像信号（ネットワーク経由で受信された放送データ）を取得する構成であってもよい。
【００２１】
リモートコントローラ１０４はＤＴＶ１０１に指示を出すためのリモートコントローラである。リモートコントローラ１０５はＰＶＲ１０２に指示を出すためのリモートコントローラである。
【００２２】
アンテナケーブル１０６はアンテナ１０３とＤＴＶ１０１、アンテナ１０３とＰＶＲ１０２などを接続するためのアンテナケーブルである。ＡＶケーブル１０７はＤＴＶ１０１とＰＶＲ１０２を接続するためのＡＶケーブルである。即ち、ＤＴＶ１０１とＰＶＲ１０２は、ＡＶケーブル１０７により接続可能な構成となっている。ＡＶケーブル１０７には制御信号線が内蔵されている。なお、制御信号の伝送形式は、アナログコンポーネント、ＨＤＭＩ、ＤＶＩなど、どのようなものであってもよい。
【００２３】
なお、本実施例では映像信号のみに注目するが、ＤＴＶ１０１は音声信号をデコードして音声を発することができてもよいし、ＰＶＲ１０２は音声信号を出力可能なものであってもよい。
【００２４】
図２は、実施例１に係るＤＴＶ１０１の機能構成を示すブロック図である。
【００２５】
コネクタ２０１は、ＡＶケーブル１０７用のコネクタである。コネクタ２０１に、ＰＶＲ１０２に接続されたＡＶケーブルを接続することにより、ＤＴＶ１０１とＰＶＲ１０２を接続することができる。図２に示すように、ＤＴＶ１０１は、ＴＭＤＳ受信部２０２、ＣＥＣ通信部２０３、及び、ＥＤＩＤ通信部２０４を備えており、コネクタ２０１は、ＴＭＤＳ受信部２０２、ＣＥＣ通信部２０３、及び、ＥＤＩＤ通信部２０４と接続されている。
【００２６】
ＴＭＤＳ（Ｔｒａｎｓｉｔｉｏｎ  Ｍｉｎｉｍｉｚｅｄ  Ｄｉｆｆｅｒｅｎｔｉａｌ  Ｓｉｇｎａｌｉｎｇ）受信部２０２は、映像信号や音声信号を受信するための受信部である。具体的には、ＡＶケーブル１０７、コネクタ２０１を介して入力された映像信号などを受信する。
【００２７】
ＣＥＣ通信部２０３は、ＰＶＲ１０２と機器間制御に関する通信を行う通信部である。
具体的には、ＡＶケーブル１０７、コネクタ２０１を介して、制御信号を送信、受信することによって、ＰＶＲ１０２との間の制御に関する通信を行う。
【００２８】
ＥＤＩＤ通信部２０４は、ＤＴＶ１０１のＥＤＩＤ（メーカー名、機種名、性能など）をＰＶＲ１０２に通知するための通信部である。具体的には、ＥＤＩＤ通信部２０４は、ＰＶＲ１０２から直接アクセス可能なＥＤＩＤ−ＲＯＭ（ＥＤＩＤが記憶されているメモリ）を有している。ＥＤＩＤ通信部２０４は、ＰＶＲ１０２の電源が入ったことを感知し、ＥＤＩＤ−ＲＯＭにアクセス可能であることをＰＶＲ１０２に通知する。なお、当該通知はＡＶケーブル１０７、コネクタ２０１を介して行われる。ＰＶＲ１０２がＥＤＩＤ−ＲＯＭへアクセスする場合も、ＡＶケーブル１０７、コネクタ２０１を介して行われる。
【００２９】
また、図２に示すように、ＤＴＶ１０１は、ＤＴＶ制御部２０５、制御信号バス２０６、及び、ＨＤＣＰ（Ｈｉｇｈ-ｂａｎｄｗｉｄｔｈ  Ｄｉｇｉｔａｌ  Ｃｏｎｔｅｎｔ  
Ｐｒｏｔｅｃｔｉｏｎ  ｓｙｓｔｅｍ）復号部２０７を備えている。また、アンテナコネクタ２０８、チューナー部２０９、デコーダ部２１０、画像合成部２１１、及び、表示部２１２も備えている。
【００３０】
ＤＴＶ制御部２０５は、ＤＴＶ１０１が有する各機能を制御する制御部である。また、制御信号バス２０６は、ＤＴＶ制御部２０５からの制御信号（制御のための信号）を各機能に伝達させるためのバスである。即ち、ＤＴＶ制御部２０５は、制御信号バス２０６を通じて各機能を制御する。例えば、ＤＴＶ制御部２０５は、ユーザからのＤＴＶ１０１への指示に応じて、ＣＥＣ通信部２０３などを制御する。本実施例では、ＤＴＶ制御部２０５は、ユーザからのＤＴＶ１０１への指示に応じて、ＰＶＲ１０２の選択可能な出力モードのリストをＰＶＲ１０２から取得するようにＣＥＣ通信部２０３を制御する。また、ＤＴＶ制御部２０５は、当該出力モードの中から出力モードを選択したり、ＰＶＲ１０２の出力モードを当該選択された出力モードに切り換えるための情報（切り換え情報）をＰＶＲ１０２に送信するようにＣＥＣ通信部２０３を制御したりする。即ち、ＤＴＶ制御部２０５が出力モード選択手段に相当し、ＤＴＶ制御部２０５とＣＥＣ通信部２０３を併せたものが出力モードリスト取得手段と切り換え情報送信手段に相当する。なお、図２にはＤＴＶ制御部２０５が１つしか図示されていないが、機能（手段）ごとに別々の制御部を備える構成であってもよい。
【００３１】
ＨＤＣＰ復号部２０７は、ＴＭＤＳ受信部２０２で受信した映像信号等が暗号化されている場合に、当該暗号化されている映像信号の復号を行うための復号部である。
【００３２】
アンテナコネクタ２０８は、アンテナケーブル１０６用のコネクタである。アンテナコネクタ２０８にアンテナ１０３に接続されたアンテナケーブルを接続することにより、ＤＴＶ１０１とアンテナ１０３を接続することができる。
【００３３】
チューナー部２０９は、アンテナ１０３で受信された地上波デジタル放送、衛星デジタル放送、ＣＳデジタル放送の映像信号などから、トランスポートストリーム（ＴＳ）データを生成するチューナーである。具体的には、チューナー部２０９は、受信した映像信号などに対して復調、誤り訂正等の処理を施し、ＴＳ形式のデジタルデータを生成する。なお、チューナー部２０９は、ユーザからの選局指示を受けた場合にデジタル放送の映像信号などから所定のチャンネル（ユーザに指示されたチャンネル）のＴＳデータを生成するものとする。また、ＴＳデータとともにＴＳデータに重畳されたＴＭＣＣ（Ｔｒａｎｓｍｉｓｓｉｏｎ  ａｎｄ  Ｍｕｌｔｉｐｌｅｘｉｎｇ  Ｃｏｎｆｉｇｕｒａｔｉｏｎ  Ｃｏｎｔｒｏｌ）信号を復調し、出力する。ＴＭＣＣ信号は、伝送路上での信号単位（スロット）毎に、復調や誤り訂正の方式を指定可能な階層変調方式を実現するための伝送多重制御信号である。
【００３４】
デコーダ部２１０は、チューナー部２０９から出力されるＴＳデータを復号するデコーダである。具体的には、デコーダ部２１０は、ＴＳデータをパケット識別子（ＰＩＤ）でフィルタリングして各種データに分別し、ＭＰＥＧ２映像信号及びＭＰＥＧ２音声信号を復号する。なお、デコーダ部２１０は、必要に応じてデスクランブル処理を行う。
【００３５】
画像合成部２１１は、ＨＤＣＰ復号部２０７で復号された映像信号、デコーダ部２１０により復号された映像信号、及び、ＤＴＶ制御部２０５により作られた表示信号を元に描画した画像を合成する画像合成部である。具体的には、画像合成部２１１はフレームメモリを用いて上記の画像を合成し、表示部２１２の仕様に合った信号フォーマットに変換する。本実施例では、画像合成部２１１はＰｉｎＰ表示（図７参照）を行うための合成などを行う。
【００３６】
表示部２１２は画像合成部２１１で合成された映像信号を表示モジュールに表示する表示部である。表示モジュールは、例えば、ＣＲＴ（Ｃａｔｈｏｄｅ  Ｒａｙ  Ｔｕｂｅ）、液晶、プラズマ、ＦＥＤ（Ｆｉｅｌｄ  Ｅｍｉｓｓｉｏｎ  Ｄｉｓｐｌａｙ）、ＥＬ（Ｅｌｅｃｔｒｏｌｕｍｉｎｅｓｃｅｎｃｅ）等を用いたモジュールである。
【００３７】
図３は、本実施例に係るＰＶＲ１０２の機能構成を示すブロック図である。なお、図３では、映像信号の出力および機器間通信に関する機能についてのみ図示している。
【００３８】
コネクタ３０１は、ＡＶケーブル１０７用のコネクタである。コネクタ３０１に、ＤＴＶ１０１に接続されたＡＶケーブルを接続することにより、ＤＴＶ１０１とＰＶＲ１０２を接続することができる。図３に示すように、ＰＶＲ１０２は、ＴＭＤＳ送信部３０２、ＣＥＣ通信部３０３、及び、ＥＤＩＤ通信部３０４を備えており、コネクタ３０１は、ＴＭＤＳ送信部３０２、ＣＥＣ通信部３０３、及び、ＥＤＩＤ通信部３０４と接続されている。
【００３９】
ＴＭＤＳ送信部３０２は、映像信号や音声信号を送信するための送信部である。具体的には、ＡＶケーブル１０７、コネクタ３０１を介して、外部の機器（例えばＤＴＶ１０１）へ映像信号などを送信する。
【００４０】
ＣＥＣ通信部３０３は、ＤＴＶ１０１と機器間制御に関する通信を行う通信部である。具体的には、ＡＶケーブル１０７、コネクタ３０１を介して、制御信号を送信、受信することによって、ＤＴＶ１０１との間の制御に関する通信を行う。例えば、ＣＥＣ通信部３０３は、（上述した）切り換え情報を受信する。即ち、ＣＥＣ通信部３０３が切り換え情報受信手段に相当する。
【００４１】
ＥＤＩＤ通信部３０４は、外部の機器（例えばＤＴＶ１０１）のＥＤＩＤを取得するための通信部である。具体的には、ＥＤＩＤ通信部３０４は、ＤＴＶ１０１からＥＤＩＤ−ＲＯＭにアクセス可能であることの通知を受けた後、ＤＴＶ１０１のＥＤＩＤ−ＲＯＭにアクセスする。これにより、ＰＶＲ１０２の接続に用いられているコネクタの物理アドレス（ポート番号）、ＤＴＶ１０１のメーカー名、機種名、性能などが認識、取得される。なお、当該通信は、ＡＶケーブル１０７、コネクタ３０１を介して行われる。
【００４２】
また、図３に示すように、ＰＶＲ１０２は、ＰＶＲ制御部３０５、制御信号バス３０６、データ生成部３０７、及び、ＨＤＣＰ暗号部３０８を備えている。
【００４３】
ＰＶＲ制御部３０５は、ＰＶＲ１０２が有する各機能を制御する制御部である。また、制御信号バス３０６は、ＰＶＲ制御部３０５からの制御信号を各機能に伝達させるための
バスである。即ち、ＰＶＲ制御部３０５は、制御信号バス３０６を通じて各機能を制御する。本実施例では、ＰＶＲ制御部３０５は、ＰＶＲ１０２の選択可能な出力モードのリストを送信するようにＣＥＣ通信部３０３を制御したり、切り換え情報に応じて出力モードの切り換えを行うようにデータ生成部３０７を制御したりする。即ち、ＰＶＲ制御部３０５とＣＥＣ通信部３０３を併せたものが出力モードリスト送信手段に相当し、ＰＶＲ制御部３０５とデータ生成部３０７を併せたものが切り換え手段に相当する。なお、図３にはＰＶＲ制御部３０５が１つしか図示されていないが、機能（手段）ごとに別々の制御部を備える構成であってもよい。
【００４４】
データ生成部３０７は、映像信号や音声信号を生成するための生成部である。具体的には、不図示の記録メディア（ハードディスク、ＤＶＤなど）に蓄積された映像データや音声データを再生することにより、映像信号や音声信号を生成する。
【００４５】
ＨＤＣＰ暗号部３０８は、データ生成部３０７で生成された映像信号（ＴＭＤＳ送信部３０２から送信する映像信号）等の暗号化を行うための暗号部である。なお、ＨＤＣＰ暗号部３０８は、ＤＴＶ１０１のＨＤＣＰ復号部２０７との間で認証処理を行い、認証した場合にのみ映像信号等を送信するようにＴＭＤＳ送信部３０２に映像信号等を受け渡す。
【００４６】
以下に、本実施例におけるＤＴＶ１０１とＰＶＲ１０２の間の処理の流れについて説明する。なお、ＤＴＶ１０１とＰＶＲ１０２は、ＡＶケーブル１０７により、互いに接続されているものとする。
【００４７】
まず、ＤＴＶ１０１とＰＶＲ１０２の間の処理（通信処理）のうち、ＰＶＲ１０２で生成された映像信号がＤＴＶ１０１の表示部２１２に表示されるまでの処理の流れについて、図４を用いて説明する。図４は、実施例１に係るＤＴＶ１０１とＰＶＲ１０２の間の処理の流れを示すフローチャートである。
【００４８】
まず、ＤＴＶ１０１のＥＤＩＤ通信部２０４が、ＰＶＲ１０２のＥＤＩＤ通信部３０４に電源供給が行われたこと（５Ｖパワー）を検知する（ステップＳ４０１）。
【００４９】
次に、ＥＤＩＤ通信部２０４が、ＥＤＩＤ通信部３０４にＨＰＤ（Ｈｏｔ  Ｐｌｕｇ  Ｄｉｔｅｃｔ）信号を送信する（ステップＳ４０２）。
【００５０】
そして、ＥＤＩＤ通信部３０４が、ＨＰＤ信号を検知（受信）する（ステップＳ４０３）。
【００５１】
次に、ＥＤＩＤ通信部３０４が、ＥＤＩＤ通信部２０４のＥＤＩＤ−ＲＯＭにアクセスし、メーカー名、機種名、性能等のデータ（ＥＤＩＤ）を読む（ステップＳ４０４）。
【００５２】
そして、ＥＤＩＤ通信部３０４が、ＤＴＶ１０１のコネクタ２０１に対応する物理アドレスを認識する（ステップＳ４０５）。物理アドレスは各コネクタに固有に割り振られた値である。
【００５３】
次に、ＥＤＩＤ通信部３０４が、ステップＳ４０４で得たメーカー名、機種名、性能等のデータから、ＤＴＶ１０１で表示可能な解像度（対応解像度）を認識する（ステップＳ４０６）。例えば、ＴＭＤＳ受信部２０２で受信可能な解像度の範囲や最大値を認識する。
【００５４】
そして、ＰＶＲ制御部３０５が、ステップＳ４０６で認識した解像度に基づいて出力モードを選択し、データ生成部３０７が、当該選択された出力モードで映像信号を生成する
。そして、ＨＤＣＰ暗号部３０８が当該映像信号を暗号化し、ＴＭＤＳ送信部３０２が、当該暗号化された映像信号をコネクタ３０１からＤＴＶ１０１へ出力する（ステップＳ４０７）。なお、暗号化は行っても行わなくてもよい。出力された映像信号は、ＤＴＶ１０１のコネクタ２０１に入力される。
【００５５】
上記選択された出力モードは、ＰＶＲ１０２の選択可能な出力モードのうち、ステップＳ４０６で認識した解像度の出力モードや、ユーザによって設定された解像度の出力モードである。なお、ユーザによる解像度の設定は、リモートコントローラ１０５などを用いてＰＶＲ１０２に対して行われるものである。
【００５６】
次に、ＴＭＤＳ受信部２０２が、コネクタ２０１に入力された映像信号を受信し、当該映像信号をＨＤＣＰ復号部２０７に受け渡す（ステップＳ４０８）。
【００５７】
そして、ＨＤＣＰ復号部２０７が、暗号化された映像信号を復号し、画像合成部２１１を介して表示部２１２に復号した映像信号を受け渡す。なお、受信した映像信号が暗号化されていない場合には、そのままの状態で（画像合成部２１１を介して）表示部２１２に映像信号を受け渡す。
【００５８】
以上の工程により、ＰＶＲ１０２で生成された映像信号が表示部２１２に表示される（ステップＳ４０９）。表示部２１２に表示される映像信号は、ＰＶＲ１０２で生成された映像信号だけでなくてもよい。例えば、画像合成部２１１が当該映像信号にアンテナコネクタ２０８から入力された映像信号、メニューデータ、バナーデータなどを合成することにより、それらの映像信号を同時に表示してもよい。
【００５９】
次に、ＤＴＶ１０１とＰＶＲ１０２の間のＣＥＣ通信について説明する。接続した各機器は図５の表に示す論理アドレスを取得する。この論理アドレスの取得にはステップＳ４０５の物理アドレスの認識が必要となる。ＤＴＶ１０１とＰＶＲ１０２を接続するとＤＴＶ１０１はアドレス０のＴＶを要求し、ＰＶＲ１０２はアドレス１のＲｅｃｏｒｄｉｎｇ
Ｄｅｖｉｃｅ１を要求することとなる。
【００６０】
次に、本発明の特徴である、ＤＴＶ１０１がＰＶＲ１０２に対して出力モードの変更を行うための処理の流れを図６に示す。その際、ＰＶＲ１０２はＤＴＶ１０１のコネクタ２０１に接続されており、認証処理は既に完了しているものとして説明する。
【００６１】
対象となるユースケースとしては、ＤＴＶ１０１に対し、アンテナコネクタ２０８から入力された映像信号とＰＶＲ１０２で生成された映像信号の両方を表示するように（例えば、ＰｉｎＰ等の２画面表示モードなど）ユーザから指示された場合などである。具体的には、図７に示すように、ＰｉｎＰ表示におけるサブ画面にＰＶＲ１０２から出力された映像信号が表示される場合などである。ＰｉｎＰ表示を行う場合、サブ画面に与えられる表示サイズは１画面表示よりも小さくなる。即ち、サブ画面の解像度は１画面表示の場合よりも低解像度となる。従って、ＰＶＲ１０２から高解像度の映像が入力されても、その映像は表示時にサブ画面の解像度まで落とされてしまう。そのため、ＰＶＲ１０２の出力モードをより低い解像度に変更しても表示品位に影響を及ぼさない。ＰＶＲ１０２の出力モードを、より低い解像度に変更すれば、ＤＴＶ１０１における受信データ処理、解像度変換の処理量を減らすことが可能となり、セットの発熱およびコストを低減することが可能となる。以下、処理の流れについて説明する。
【００６２】
まず、ＤＴＶ制御部が、表示モードが２画面表示モード（ＰｉｎＰ）か否かを判定する（ステップＳ６０１）。表示モードが２画面表示モードの場合（ステップＳ６０１；ＹＥＳ）、ステップＳ６０２へ進み、表示モードが２画面表示モードでない場合（ステップＳ
６０１；ＮＯ）、２画面表示モードになるまで当該判定を繰り返す。なお、図６の例では、常に判定を行うものとしているが、ＤＴＶ１０１がＰｉｎＰ表示を行うように指示を受けたときにステップＳ６０２へ進むようにしてもよい。２画面表示モードへの変更の指示は、例えば、ユーザがリモートコントローラ１０４などを用いることにより行われる。
【００６３】
ステップＳ６０２では、ＤＴＶ１０１のＣＥＣ通信部２０３が、ＤＴＶ制御部２０５からの指示を受け、ＰＶＲ１０２のＣＥＣ通信部３０３に対して選択可能な出力モードのリストを要求する。なお、当該処理は、ＰＶＲ１０２で生成された映像信号がＰｉｎＰ表示のサブ画面７０２に表示されている場合にのみ行われることが好ましい。
【００６４】
そして、ＣＥＣ通信部３０３が出力モードのリストの要求を受信すると、ＰＶＲ制御部３０５がＣＥＣ通信部３０３に当該リストの送信を指示する。そして、ＣＥＣ通信部３０３が、選択可能な出力モードのリストをＣＥＣ通信部２０３に送信する（ステップＳ６０３）。
【００６５】
次に、ＣＥＣ通信部２０３が、ステップＳ６０３で送信された出力モードのリストを受信し、当該リストをＤＴＶ制御部２０５に渡す。そして、ＤＴＶ制御部２０５が、画像合成部２１１に対して入力するのに最適な解像度（出力モード）を選択し、ＣＥＣ通信部２０３に切り換え情報の送信を指示する。そして、ＣＥＣ通信部２０３が、ＣＥＣ通信部３０３に切り換え情報を送信する（ステップＳ６０４）。
【００６６】
上記入力するのに最適な解像度は、ＰＶＲ１０２の選択可能な解像度のうち、ＰｉｎＰ表示のサブ画面の解像度に対応する解像度である。なお、当該最適な解像度とサブ画面の解像度は、一致する必要はない（勿論、一致することが好ましい）。上記最適な解像度は、サブ画面の解像度より高い解像度であってもよいし、低い解像度であってもよい。例えば、上記選択可能な解像度にサブ画面の解像度と一致するものが無い場合（例えば、サブ画面の解像度が規格外である場合など）には、上記選択可能な解像度のうちサブ画面の解像度に最も近い解像度を最適な解像度とすればよい。サブ画面の解像度より高い解像度のうち、最も低い解像度を最適な解像度としてもよい。それにより、サブ画面に表示される映像のダウンコンバートを防ぐことができる。
【００６７】
そして、ＣＥＣ通信部３０３が、ステップＳ６０４で送信された切り換え情報を受信すると、ＰＶＲ制御部３０５はデータ生成部３０７に対して解像度の変更を指示する（ステップＳ６０５）。
【００６８】
次に、データ生成部３０７が、ステップＳ６０５で指示された解像度の出力モードで映像信号を生成し、当該映像信号はＨＤＣＰ暗号部３０８で暗号化される。そして、当該映像信号は、ＴＭＤＳ送信部３０２にてコネクタ３０１からＤＴＶ１０１へ出力される（ステップＳ６０６）。
【００６９】
そして、ステップＳ６０６で出力された映像信号は、コネクタ２０１に入力され、ＴＭＤＳ受信部２０２で受信される（ステップＳ６０７）。
【００７０】
次に、ステップＳ６０７で受信された映像信号が暗号化されている場合には、当該信号をＨＤＣＰ復号部２０７にて復号し、ステップＳ６０８へ進む。受信された映像信号が暗号化されていない場合には、そのままステップＳ６０８へ進む。
【００７１】
ステップＳ６０８では、画像合成部２１１が、当該映像信号をサブ画面７０２として、放送データの映像信号（アンテナコネクタ２０８から入力された映像信号）であるメイン画面７０１と合成する。これにより、表示部２１２でＰｉｎＰ表示が行われる。なお、画
像合成部２１１では、入力された映像信号を表示画面の解像度に合わせる処理（解像度変換）も行われる。
【００７２】
このように、ＤＴＶ１０１でＰｉｎＰ表示を行う際、ＰＶＲ１０２の出力解像度を変更することにより、ＤＴＶ１０１のＴＭＤＳ受信部２０２やＨＤＣＰ復号部２０７の受信データ処理を軽減することができる。また、画像合成部２１１における解像度変換や合成の処理量を減らすことが可能となる。
【００７３】
なお、コネクタから送信される映像信号は、ＴＭＤＳ送信部で送信信号として変換されてもよい。その場合、ＴＭＤＳ受信部は当該送信信号を受信すると映像信号に変換される。
【００７４】
＜実施例２＞
以下に、本発明の実施形態に係る表示装置および出力装置の他の例について図８〜１１を用いて説明する。
【００７５】
本実施例に係るデジタル放送受信機（ＤＴＶ）とハードディスクレコーダー（ＰＶＲ）を用いたシステムの構成について、図８を用いて説明する。図８は本実施例に係るデジタル放送受信機（ＤＴＶ）とハードディスクレコーダー（ＰＶＲ）を用いたシステムの構成の一例を示す図である。なお、図１と同じ部分については説明を省略する。
【００７６】
ＰＶＲ８０１はＰＶＲ１０２と同等なＰＶＲである。即ち、ＰＶＲ８０１の画像信号出力および機器間通信に関する機能のブロック構成は図３のものとなる。ＰＶＲ８０１は、アンテナケーブル１０６を用いてアンテナ１０３と接続され、ＡＶケーブル８０３を用いてＤＴＶ１０１と接続される。なお、ＡＶケーブル１０７とＡＶケーブル８０３は（端子の種類などが）同じであってもよいし、異なっていてもよい。
【００７７】
なお、本実施例では、ＰＶＲ８０１とＰＶＲ１０２の機能について、それぞれ異なる番号を付することにより区別する。即ち、ＰＶＲ８０１は、コネクタ１３０１、ＴＭＤＳ送信部１３０２、ＣＥＣ通信部１３０３、ＥＤＩＤ通信部１３０４、ＰＶＲ制御部１３０５、制御信号バス１３０６、データ生成部１３０７、及び、ＨＤＣＰ暗号部１３０８を備えるものとする。
【００７８】
リモートコントローラ８０２はＰＶＲ８０１に指示を出すためのリモートコントローラである。
【００７９】
本実施例に係るＤＴＶ１０１の機能構成について、図９を用いて説明する。図９は、本実施例に係るＤＴＶ１０１の機能構成を示すブロック図である。なお、図１と同じ部分については説明を省略する。
【００８０】
コネクタ９０１は、ＡＶケーブル８０３用のコネクタである。コネクタ９０１に、ＰＶＲ８０１に接続されたＡＶケーブルを接続することにより、ＤＴＶ１０１とＰＶＲ８０１を接続することができる。図９に示すように、ＤＴＶ１０１は、図１の構成に加え、ＴＭＤＳ受信部９０２とＥＤＩＤ通信部９０３を更に備えており、コネクタ９０１は、ＴＭＤＳ受信部９０２、ＣＥＣ通信部２０３、及び、ＥＤＩＤ通信部９０３と接続されている。
【００８１】
ＴＭＤＳ受信部９０２は、映像信号や音声信号を受信するための受信部である。具体的には、ＡＶケーブル８０３、コネクタ９０１を介して入力された映像信号などを受信する。
【００８２】
ＥＤＩＤ通信部９０３は、ＤＴＶ１０１のＥＤＩＤをＰＶＲ８０１に通知するための通信部である。具体的には、ＥＤＩＤ通信部９０３は、ＰＶＲ８０１から直接アクセス可能なＥＤＩＤ−ＲＯＭを有している。ＥＤＩＤ通信部９０３は、ＰＶＲ８０１の電源が入ったことを感知し、ＥＤＩＤ−ＲＯＭにアクセス可能であることをＰＶＲ８０１に通知する。なお、当該通知はＡＶケーブル８０３、コネクタ９０１を介して行われる。
【００８３】
また、図９に示すように、ＤＴＶ１０１は、ＨＤＣＰ復号部９０４も更に備えている。
【００８４】
ＨＤＣＰ復号部９０４は、ＴＭＤＳ受信部９０２で受信した映像信号等が暗号化されている場合に、当該暗号化されている映像信号の復号を行うための復号部である。
【００８５】
なお、本実施例におけるＣＥＣ通信部２０３は、ＰＶＲ１０２との間の機器間制御に関する通信だけでなく、ＰＶＲ８０１との間の機器間制御に関する通信も行う。ＰＶＲ８０１との間の機器間制御に関する通信は、コネクタ９０１、ＡＶケーブル８０３を介して、制御信号を送信、受信することにより行われる。
【００８６】
また、本実施例におけるＤＴＶ制御部２０５は、実施例１の処理に加え、ユーザからのＤＴＶ１０１への指示に応じて、ＰＶＲ８０１の選択可能な出力モードのリストをＰＶＲ８０１から取得するようにＣＥＣ通信部２０３を制御するという処理も行う。更に、ＤＴＶ制御部２０５は、当該リストの中から出力モードを選択したり、ＰＶＲ８０１の出力モードを当該選択された出力モードに切り換えるための情報（切り換え情報）をＰＶＲ８０１に送信するようにＣＥＣ通信部２０３を制御したりする。
【００８７】
また、本実施例における画像合成部２１１は、実施例１における画像合成部が合成可能な画像に加え、ＨＤＣＰ復号部９０４で復号された映像信号を元に描画した画像も合成可能である。具体的には、画像合成部２１１は、フレームメモリを用いて上記の画像を合成し、表示部２１２の仕様に合った信号フォーマットに変換する。本実施例では、画像合成部２１１はＰｏｕｔＰ表示（図１０参照）を行うための合成を行う。
【００８８】
以下に、本実施例におけるＤＴＶ１０１とＰＶＲ１０２、ＰＶＲ８０１間の処理の流れについて説明する。なお、ＤＴＶ１０１とＰＶＲ１０２、ＤＴＶ１０１とＰＶＲ８０１は、それぞれ、ＡＶケーブル１０７、ＡＶケーブル８０３により、互いに接続されているものとする。
【００８９】
ＤＴＶ１０１とＰＶＲ８０１の間の処理のうち、ＰＶＲ８０１で生成された映像信号がＤＴＶ１０１の表示部２１２に表示されるまでの処理の流れは、図４に示したＤＴＶ１０１とＰＶＲ１０２の間の処理の流れと同等であるため、説明は省略する。但し、ＰＶＲ１０２とＰＶＲ８０１は、それぞれ、独立に動作するものとする。
【００９０】
また、ＤＴＶ１０１とＰＶＲ８０１の間のＣＥＣ通信を行うまでの処理もＤＴＶ１０１とＰＶＲ１０２の間の処理と同様である。即ち、本実施例で新たに接続された機器（ＰＶＲ８０１）も図５に示す表の内容に対応した論理アドレスを取得する。この論理アドレスの取得には図４に示すステップＳ４０５の物理アドレスの認識が必要となる。ＤＴＶ１０１とＰＶＲ１０２、ＰＶＲ８０１を接続するとＤＴＶ１０１はアドレス０のＴＶを要求する。そして、ＰＶＲ１０２、ＰＶＲ８０１は、それぞれ、アドレス１のＲｅｃｏｒｄｉｎｇ  Ｄｅｖｉｃｅ１、アドレス２のＲｅｃｏｒｄｉｎｇ  Ｄｅｖｉｃｅ２を要求することとなる。アドレス１とアドレス２についてはどちらが先に要求するかにより決まる。
【００９１】
次に、本発明の特徴である、ＤＴＶ１０１がＰＶＲ１０２、ＰＶＲ８０１に対して出力モードの変更を行うための処理の流れを図１１に示す。その際、ＰＶＲ１０２はＤＴＶ１
０１のコネクタ２０１に、ＰＶＲ８０１はＤＴＶ１０１のコネクタ９０１に接続されており、認証処理は既に完了しているものとして説明する。
【００９２】
対象となるユースケースとしては、ＤＴＶ１０１に対し、ＰＶＲ１０２で生成された映像信号と、ＰＶＲ８０１で生成された映像信号とを表示するように（例えば、ＰｏｕｔＰ等の２画面表示など）、ユーザから指示された場合などである。具体的には、図１０に示すように、ＰｏｕｔＰ表示におけるメイン画面１００１やサブ画面１００２に、ＰＶＲ１０２やＰＶＲ８０１から出力された映像信号が表示される場合などである。ＰｏｕｔＰ表示を行う場合、各画面に与えられる表示サイズは１画面表示よりも小さくなる。即ち、夫々の画面の解像度は１画面表示の場合よりも低解像度となる。そのため、ＰＶＲ１０２やＰＶＲ８０１の出力モードを、より低い解像度に変更しても表示品位に影響を及ぼさない。ＰＶＲ１０２やＰＶＲ８０１の出力モードを、より低い解像度に変更すれば、ＤＴＶ１０１における受信データ処理、解像度変換の処理量を減らすことが可能となり、セットの発熱およびコストを低減することが可能となる。また、ＤＴＶ１０１の入力画像処理能力が、高品位な入力画像データを同時に複数受信できないものであったとしても、リソースの共有化を行うことで、好適に２画面表示を行うことが可能となる。以下、処理の流れについて説明する。
【００９３】
まず、ＤＴＶ制御部が、表示モードが２画面表示モード（ＰｏｕｔＰ）か否かを判定する（ステップＳ１１０１）。表示モードが２画面表示モードの場合（ステップＳ１１０１；ＹＥＳ）、ステップＳ１１０２へ進み、表示モードが２画面表示モードで無い場合（ステップＳ１１０１；ＮＯ）、２画面表示モードになるまで当該判定を繰り返す。なお、図１１の例では、常に判定を行うものとしているが、ＤＴＶ１０１がＰｏｕｔＰ表示を行うように指示を受けたときにステップＳ１１０２へ進むようにしてもよい。２画面表示モードへの変更の指示は、例えば、ユーザがリモートコントローラ１０４などを用いることにより行われる。
【００９４】
ステップＳ１１０２では、ＤＴＶ１０１のＣＥＣ通信部２０３が、ＰＶＲ１０２のＣＥＣ通信部３０３に対して選択可能な出力モードのリストを要求する。なお、本実施例では、ＰＶＲ１０２で生成された映像信号がＰｏｕｔＰ表示のメイン画面１００１に表示されるものとする。
【００９５】
そして、ＰＶＲ１０２のＣＥＣ通信部３０３が出力モードのリストの要求を受信すると、ＰＶＲ制御部３０５が、ＣＥＣ通信部３０３に当該リストの送信を指示する。そして、ＣＥＣ通信部３０３が、選択可能な出力モードのリストをＣＥＣ通信部２０３に送信する（ステップＳ１１０３）。
【００９６】
次に、ＤＴＶ１０１のＣＥＣ通信部２０３が、ＰＶＲ８０１のＣＥＣ通信部１３０３に対して選択可能な出力モードのリストを要求する（ステップＳ１１０４）。なお、本実施例では、ＰＶＲ８０１で生成された映像信号がＰｏｕｔＰ表示のサブ画面１００２に表示されるものとする。
【００９７】
そして、ＰＶＲ８０１のＣＥＣ通信部１３０３が、出力モードのリストの要求を受信すると、ＰＶＲ制御部１３０５がＣＥＣ通信部１３０３に当該リストの送信を指示する。そして、ＣＥＣ通信部１３０３が、選択可能な出力モードのリストをＣＥＣ通信部２０３に送信する（ステップＳ１１０５）。
【００９８】
次に、ＣＥＣ通信部２０３が、ステップＳ１１０３、ステップＳ１１０５で送信された出力モードのリストを受信し、それらリストをＤＴＶ制御部２０５に渡す。そして、ＤＴＶ制御部２０５が、メイン画面１００１とサブ画面１００２のそれぞれについて、画像合
成部２１１に対して入力するのに最適な解像度（出力モード）を選択する（ステップＳ１１０６）。
【００９９】
そして、ＤＴＶ制御部２０５が、ＣＥＣ通信部２０３に切り換え情報の送信を指示し、ＣＥＣ通信部２０３が、ＣＥＣ通信部３０３に切り換え情報を送信する（ステップＳ１１０７）。即ち、ＤＴＶ１０１が、ＰＶＲ１０２に対し、メイン画面側の解像度の変更を要求する。
【０１００】
次に、ＣＥＣ通信部３０３が、ステップＳ１１０７で送信された切り換え情報を受信すると、ＰＶＲ制御部３０５が、データ生成部３０７に対して出力モードの変更を指示する（ステップＳ１１０８）。
【０１０１】
そして、ＣＥＣ通信部３０３が、出力モードの変更が完了したことをＣＥＣ通信部２０３に送信し（ステップＳ１１０９）、ステップＳ１１１０およびステップＳ１１１３へ移行する。
【０１０２】
ステップＳ１１１３では、データ生成部３０７が、ステップＳ１１０９で指示された解像度の出力モードで映像信号を生成し、当該映像信号はＨＤＣＰ暗号部３０８で暗号化される。そして、当該映像信号は、ＴＭＤＳ送信部３０２にてコネクタ３０１からＤＴＶ１０１へ出力され、ステップＳ１１１５へ移行する。ステップＳ１１１５の処理については後で説明する。
【０１０３】
ステップＳ１１１０では、ＤＴＶ制御部２０５が、ＣＥＣ通信部２０３に切り換え情報の送信を指示し、ＣＥＣ通信部２０３が、ＣＥＣ通信部１３０３に切り換え情報を送信する。即ち、ＤＴＶ１０１が、ＰＶＲ８０１に対し、サブ画面側の解像度の変更を要求する。
【０１０４】
次に（ステップＳ１１１０の次に）、ＣＥＣ通信部１３０３が、ステップＳ１１１０で送信された切り換え情報を受信すると、ＰＶＲ制御部１３０５が、データ生成部１３０７に対して出力モードの変更を指示する（ステップＳ１１１１）。
【０１０５】
そして、ＣＥＣ通信部１３０３が、出力モードの変更が完了したことをＣＥＣ通信部２０３に送信し（ステップＳ１１１２）、ステップＳ１１１４へ移行する。
【０１０６】
ステップＳ１１１４では、データ生成部１３０７が、ステップＳ１１１２で指示された解像度の出力モードで映像信号を生成し、当該映像信号はＨＤＣＰ暗号部１３０８で暗号化される。そして、当該映像信号は、ＴＭＤＳ送信部１３０２にてコネクタ１３０１からＤＴＶ１０１へ出力され、ステップＳ１１１５へ移行する。
【０１０７】
ステップＳ１１１５では、ステップＳ１１１３で出力された映像信号がコネクタ２０１に入力され、ＴＭＤＳ受信部２０２で受信される。また、ステップＳ１１１４で出力された映像信号がコネクタ９０１に入力され、ＴＭＤＳ受信部９０２で受信される。そして、ＴＭＤＳ受信部２０２で受信された映像信号が暗号化されている場合には、当該信号はＨＤＣＰ復号部２０７にて復号され、ＴＭＤＳ受信部９０２で受信された映像信号が暗号化されている場合には、当該信号はＨＤＣＰ復号部９０４にて復号される。
【０１０８】
次に、画像合成部２１１が、ＰＶＲ１０２から出力された映像信号をメイン画面１００１とし、ＰＶＲ８０１から出力された映像信号をサブ画面１００２として、それらの映像信号を合成する（ステップＳ１１１６）。これにより、表示部２１２でＰｏｕｔＰ表示が行われる。
【０１０９】
このように、本実施例では、ＤＴＶ１０１でＰｏｕｔＰ表示を行う際、ＰＶＲ１０２、ＰＶＲ８０１の出力解像度（出力モード）をそれぞれ変更する。これにより、ＤＴＶ１０１における、ＴＭＤＳ受信部２０２、ＴＭＤＳ受信部９０２、ＨＤＣＰ復号部２０７、ＨＤＣＰ復号部９０４の受信データ処理を軽減することができる。また、画像合成部２１１における解像度変換や合成の処理量を減らすことが可能となる。そして、データ処理を軽減できるため、ＴＭＤＳ受信部２０２、ＴＭＤＳ受信部９０２、ＨＤＣＰ復号部２０７、ＨＤＣＰ復号部９０４の機能（例えば、処理スピードや処理可能な最大データ量）として高い性能が要求されなくなる。即ち、高解像度の受信能力を複数持たなくとも２画面表示を行うことが可能となる。
【０１１０】
＜実施例３＞
本実施例の構成は、実施例１及び実施例２と同じ構成であるため、説明は省略する。
【０１１１】
一般に、ＥＤＩＤ通信部２０４はＴＭＤＳ受信部２０２の受信性能（受信可能な最大解像度など）をＥＤＩＤ−ＲＯＭに記録している。そのため、ＤＴＶ１０１の表示部２１２の表示性能（表示可能な最大解像度）以上の入力性能をＴＭＤＳ受信部２０２が有していると、当該表示性能以上の解像度、色数の信号を送信するようにＰＶＲ制御部３０５が判断してしまう。具体的には、ＰＶＲ１０２のＥＤＩＤ通信部３０４とＥＤＩＤ通信部２０４の間の通信により、表示部２１２の表示性能以上の解像度、色数の信号を送信するようにＰＶＲ制御部３０５が判断してしまう。なお、ＥＤＩＤ通信部３０４とＥＤＩＤ通信部２０４の間の通信は、前述したように、ＤＴＶ１０１のコネクタ２０１とＰＶＲ１０２のコネクタ３０１とをＡＶケーブル１０７で接続することにより行なわれる。
【０１１２】
このような状況では、余計な処理（表示部に表示するための解像度の変換など）が必要となるため、消費電力も大きくなってしまう。そのため、ユーザがＤＴＶ１０１の設定として省電力モードを選択したときに、ＤＴＶ１０１のＣＥＣ通信部２０３を介してＰＶＲ１０２の解像度の変更を要求するような構成としてもよい。
【０１１３】
また、実施例２のような場合においても、ＤＴＶ１０１の設定として省電力モードを選択したときに、ＤＴＶ１０１のＣＥＣ通信部２０３を介してＰＶＲ１０２及びＰＶＲ８０１の解像度の変更を要求するような構成としてもよい。
【図面の簡単な説明】
【０１１４】
【図１】図１は、実施例１に係るＤＴＶとＰＶＲを用いたシステムの構成の一例を示す図である。
【図２】図２は、実施例１に係るＤＴＶの機能構成を示すブロック図である。
【図３】図３は、実施例１に係るＰＶＲの機能構成を示すブロック図である。
【図４】図４は、実施例１に係るＤＴＶとＰＶＲの間の処理の流れを示すフローチャートである。
【図５】図５は、ＣＥＣ通信に使用する論理アドレスの表の一例である。
【図６】図６は、実施例１において。ＤＴＶがＰＶＲに対して出力モードの変更を行うための処理の流れを示すフローチャートである。
【図７】図７は、ＰｉｎＰ表示の一例を示す図である。
【図８】図８は、実施例２に係るＤＴＶとＰＶＲを用いたシステムの構成の一例を示す図である。
【図９】図９は、実施例２に係るＤＴＶの機能構成を示すブロック図である。
【図１０】図１０は、ＰｏｕｔＰ表示の一例を示す図である。
【図１１】図１１は、実施例２において。ＤＴＶがＰＶＲに対して出力モードの変更を行うための処理の流れを示すフローチャートである。
【符号の説明】
【０１１５】
１０１  ＤＴＶ
１０２  ＰＶＲ
１０３  アンテナ
１０４  リモートコントローラ
１０５  リモートコントローラ
１０６  アンテナケーブル
１０７  ＡＶケーブル
２０１  コネクタ
２０２  ＴＭＤＳ受信部
２０３  ＣＥＣ通信部
２０４  ＥＤＩＤ通信部
２０５  ＤＴＶ制御部
２０６  制御信号バス
２０７  ＨＤＣＰ復号部
２０８  アンテナコネクタ
２０９  チューナー部
２１０  デコーダ部
２１１  画像合成部
２１２  表示部
３０１  コネクタ
３０２  ＴＭＤＳ送信部
３０３  ＣＥＣ通信部
３０４  ＥＤＩＤ通信部
３０５  ＰＶＲ制御部
３０６  制御信号バス
３０７  データ生成部
３０８  ＨＤＣＰ暗号部
７０１  メイン画面
７０２  サブ画面
８０１  ＰＶＲ
８０２  リモートコントローラ
８０３  ＡＶケーブル
９０１  コネクタ
９０２  ＴＭＤＳ受信部
９０３  ＥＤＩＤ通信部
９０４  ＨＤＣＰ復号部
１００１  メイン画面
１００２  サブ画面
【図１】
0005197039.tif 000002
【図２】
0005197039.tif 000003
【図３】
0005197039.tif 000004
【図４】
0005197039.tif 000005
【図５】
0005197039.tif 000006
【図６】
0005197039.tif 000007
【図７】
0005197039.tif 000008
【図８】
0005197039.tif 000009
【図９】
0005197039.tif 000010
【図１０】
0005197039.tif 000011
【図１１】
0005197039.tif 000012